(57)【要約】  【課題】  簡易な方法で無線機を各規格に対応させ、１台の無線機によって各規格に共通した良好な受信を行うことができるフロントエンド回路を提供する。  【解決手段】  本発明のフロントエンド回路は、所定の規格に設定された高周波信号を受信し増幅する高周波増幅部１０と、高周波増幅部の出力を中間周波信号に変換する混合部１７と、高周波増幅部の前段に配置された減衰部１５と、後段に配置された減衰部１６と、所定の規格を示す指令信号に従って、これら減衰部の減衰量を予め決められた減衰量にそれぞれ設定するスイッチ回路１８とを有する。したがって、送信されてくる高周波信号の規格を示す指令信号をスイッチ回路に与えておくと、受信時に、規格に適合するような減衰量が減衰部に設定される。すなわち、規格を示す指令信号を減衰量設定部に与えておくだけでフロントエンド回路は、受信すべき高周波信号を良好な品質で受信することができる。  【選択図】  図１
2005159934.tif 000002
【特許請求の範囲】
【請求項１】
所定の規格に設定された高周波信号を受信し増幅する高周波増幅部と、高周波増幅部の出力を中間周波信号に変換する混合部とを有するフロントエンド回路において、
高周波増幅部の前段に配置された第１の減衰部と、
高周波増幅部と混合部との間に配置された第２の減衰部と、
所定の規格を示す指令信号に従って、第１，第２の減衰部の減衰量を予め決められた減衰量にそれぞれ設定する減衰量設定部とを有することを特徴とするフロントエンド回路。
【請求項２】
第１，第２の減衰部は、それぞれ減衰器から構成され、減衰量設定部は、指令信号に従って、第１，第２の減衰部の減衰量を設定するスイッチ回路である請求項１記載のフロントエンド回路。
【請求項３】
第１，第２の減衰部の少なくとも一方は、入力側スイッチ回路と出力側スイッチ回路と、両スイッチ回路の間に配置された接続ラインおよび減衰器とを有し、入力側スイッチ回路と出力側スイッチ回路とは、指令信号に従って切り替わり、高周波信号を接続ラインまたは減衰器を通過させる請求項１記載のフロントエンド回路。
【発明の詳細な説明】
【技術分野】
【０００１】
本発明は、フロントエンド回路に関し、特に、所定の規格に設定された高周波信号を受信し増幅する高周波増幅部と、高周波増幅部の出力を中間周波信号に変換する混合部とを有するフロントエンド回路に関する。
【背景技術】
【０００２】
無線機に搭載されるフロントエンド回路は、受信波を選択し、中間周波数に変換する機能をもち、無線機の受信性能を左右する重要な部分である。受信性能を表す項目としては、受信感度、相互変調特性、スプリアスレスポンス特性等が挙げられる。これらの特性に対する規格は、地形に関する違い等を原因として、国々で異なっている。例えば、北米向けの業務用の無線機の規格であるＴＩＡ−ＥＩＡ−６０３においては、受信感度は−１１６ｄＢｍ、スプリアスレスポンス特性は６０ｄＢとなっている。しかし、国々が隣接しているヨーロッパにおいては、干渉特性が厳しく設定されており、業務用の無線機の規格であるＥＴＳＩ（ＥＴＳ ３００ ０８６−１等）においては、受信感度ー１０７ｄＢｍ（６．０ｄＢμＶ）、スプリアスレスポンス特性７０ｄＢとなっている。
【０００３】
従来、受信スプリアスレスポンス特性に関して、採用するミキサー等の歪特性が支配的で、同一の利得、雑音指数を有するフロントエンド回路構成で比較した場合、ＥＴＳＩ規格での測定値は、ＴＩＡ／ＥＩＡ規格の測定値と比べて（測定条件は異なるが）６〜７ｄＢ程度悪い値となる。このために、ＴＩＡ／ＥＩＡ規格を満たしていてもＥＴＳＩ規格に対してはマージンが少ないか、規格を満足させない場合がある。このように規格を満足させない場合には、それぞれの仕様条件を満足させるように、回路定数を変更したり、採用しているデバイスを変更する等の対策を行っている。
【発明の開示】
【発明が解決しようとする課題】
【０００４】
上述のように、従来のフロントエンド回路では対処すべき各規格に対応できるように回路定数を変更したり、採用しているデバイスを変更する等の対策を行っているが、このような方法で無線機を各規格に共通化させるのは容易ではない。
【０００５】
本発明は、上述した問題点を解決するためになされたものであり、簡易な方法で無線機を各規格に対応させ、１台の無線機によって各規格に共通して良好な受信を行うことができるフロントエンド回路を提供することを目的とする。
【課題を解決するための手段】
【０００６】
上述した課題を解決するため、本発明に係るフロントエンド回路は、所定の規格に設定された高周波信号を受信し増幅する高周波増幅部と、高周波増幅部の出力を中間周波信号に変換する混合部とを有するフロントエンド回路において、高周波増幅部の前段に配置された第１の減衰部と、高周波増幅部と混合部との間に配置された第２の減衰部と、所定の規格を示す指令信号に従って、第１，第２の減衰部の減衰量を予め決められた減衰量にそれぞれ設定する減衰量設定部とを有する。
【０００７】
このような構成によれば、送信されてくる高周波信号の規格を示す指令信号を減衰量設定部に与えておくと、高周波信号の受信の際に、減衰量設定部は、第１，第２の減衰部の減衰量を高周波信号の規格に適合するように設定する。したがって、受信すべき高周波信号の規格を示す指令信号を減衰量設定部に与えておくだけでフロントエンド回路は、受信すべき高周波信号を良好な品質で受信することができる。
【０００８】
また、本発明において、第１，第２の減衰部は、それぞれ減衰器から構成され、減衰量設定部は、指令信号に従って、第１，第２の減衰部の減衰量を設定するスイッチ回路である。
【０００９】
さらに、本発明において、第１，第２の減衰部の少なくとも一方は、入力側スイッチ回路と出力側スイッチ回路と、両スイッチ回路の間に配置された接続ラインおよび減衰器とを有し、入力側スイッチ回路と出力側スイッチ回路とは、指令信号に従って切り替わり、高周波信号を接続ラインまたは減衰器を通過させる。
【発明の効果】
【００１０】
以上に詳述したように本発明によれば、各規格に従って送信される高周波信号に対応して、フロントエンド回路の内部の減衰量を容易に切り替えることができる。したがって、そのフロントエンド回路を搭載した無線機においては、無線機が使用される地域の規格に適合するようにフロントエンド回路の内部の減衰量を切り替えることにより、良好に受信機能を発揮させることができる。換言すれば、各規格の送信信号に対して、前記フロントエンド回路を搭載した無線機を容易に共通使用することができる。
【発明を実施するための最良の形態】
【００１１】
以下、本発明の実施の形態について図面を参照しつつ説明する。図１は、本発明のフロントエンド回路の第１の実施の形態を示すブロック図、図２は、本発明のフロントエンド回路の第２の実施の形態を示すブロック図、図３（ａ）ないし図３（ｄ）は、図１および図２で使用される減衰器の例を示す回路図である。先ず、図１を参照して第１の実施の形態について説明する。図１で示されるフロントエンド回路において、高周波増幅部１０は、フィルタ１１と、増幅器（例えば、雑音増幅器）１２と、フィルタ１３とから構成され、減衰器１５から引き渡される高周波信号を増幅する。減衰器１５は、高周波増幅部１０の前段に配置され、アンテナ回路（不図示）からの高周波信号を受け取り、スイッチ回路１８の指示信号ＣＮによって指示された減衰量だけ高周波信号を減衰させて高周波増幅部１０に引き渡す。
【００１２】
減衰器１６は、高周波増幅部１０の後段に配置され、高周波増幅部１０の出力を受け取り、スイッチ回路１８の指示信号ＣＮによって指示された減衰量だけ高周波信号を減衰させて混合部１７に引き渡す。混合部１７は、減衰器１６からの出力を中間周波数に変換する。スイッチ回路１８は、受信すべき送信信号の規格を示す指令信号ＣＭを受けると、その指令ＣＭに対応する論理レベルの指示信号ＣＮを減衰器１５，１６に与え、減衰器１５，１６が受信すべき送信信号の規格に対応できる減衰値を設定するようにさせる。
【００１３】
上述のように構成されたフロントエンド回路を受信回路に搭載した無線機が例えば、ＴＩＡ／ＥＩＡ規格（北米向け）の送信信号を受信するために使用される場合には、ＴＩＡ／ＥＩＡ規格を示す指令信号ＣＭがスイッチ回路１８に与えられる。そこで、スイッチ回路１８は、例えば、論理レベルロウ（“Ｌ”）の指示信号ＣＮを減衰器１５，１６に与える。“Ｌ”の指示信号ＣＮを受けた減衰器１５，１６は、減衰量をＴＩＡ／ＥＩＡ規格の送信信号を受信するのに適合するように（例えば、受信感度は−１１６ｄＢｍ、スプリアスレスポンス特性は６０ｄＢに）予め定められた値に設定する。したがって、無線機は、ＴＩＡ／ＥＩＡ規格で送信された高周波信号を良好に受信することができる。
【００１４】
上述の仕様の無線機によって、ＥＴＳＩ規格（ヨーロッパ向け）で送信されてくる高周波信号を受信しようとする場合には、ＥＴＳＩ規格を示す指令信号ＣＭをスイッチ回路１８に与える。ＥＴＳＩ規格を示す指令信号ＣＭが与えられたスイッチ回路１８は、論理レベルハイ（“Ｈ”）の指示信号ＣＮを減衰器１５，１６に与える。“Ｈ”の指示信号ＣＮを受けた減衰器１５，１６は、減衰量をＥＴＳＩ規格の送信信号を受信するのに適合するように（例えば、受信感度ー１０７ｄＢｍ（６．０ｄＢμＶ））予め定められた値に設定する。この場合、スプリアスレスポンス特性も７０ｄＢを満足するようになるので、無線機は、ＥＴＳＩ規格の送信信号を良好に受信することができる。この場合、減衰器１５，１６として使用される典型的な回路としては、図３（ａ）ないし図３（ｄ）がある。減衰量を変更する場合、減衰器の定数Ｒ１，Ｒ２，〜，Ｒ６を切り替えるようにするか、または、例えば、ある減衰量をもつ図３（ａ）の減衰器から異なる減衰量をもつ図３（ｂ）の減衰器に切り替えるようにしてもよい。
【００１５】
次に、図２を参照して本発明の第２の実施の形態について説明する。図２で示されるフロントエンド回路は、図１のフロントエンド回路と比較すると、減衰器１５の代わりにスイッチ回路２１，２２と接続ライン２３と減衰器２４とを配置した点が異なっている。図２のように構成されたフロントエンド回路を搭載した無線機が例えば、ＴＩＡ／ＥＩＡ規格の送信信号を受信するために使用される場合には、ＴＩＡ／ＥＩＡ規格を示す指令信号ＣＣがスイッチ回路１８，２１，２２に与えられる。そこで、スイッチ回路１８は、論理レベルロウ（“Ｌ”）の指示信号ＣＮを減衰器１６に与える。“Ｌ”の指示信号ＣＮを受けた減衰器１６は、減衰量をＴＩＡ／ＥＩＡ規格の送信信号を受信するのに適合するように予め定められた値に設定する。他方、スイッチ回路２１，２２は、ＴＩＡ／ＥＩＡ規格を示す指令信号ＣＣを受けると、アンテナ回路からの高周波信号をスイッチ回路２１、接続ライン２３、スイッチ回路２２を介して、減衰させることなく高周波増幅器１０に引き渡す。
【００１６】
図２のフロントエンド回路を搭載した無線機によって、ＥＴＳＩ規格の送信信号を受信しようとする場合には、ＥＴＳＩ規格を示す指令信号ＣＣがスイッチ回路１８，２１，２２に与えられる。そこで、スイッチ回路１８は、論理レベルハイ（“Ｈ”）の指示信号ＣＮを減衰器１６に与える。“Ｈ”の指示信号ＣＮを受けた減衰器１６は、減衰量をＥＴＳＩ規格の送信信号を受信するのに適合するように予め定められた値に設定する。他方、スイッチ回路２１，２２は、ＥＴＳＩ規格を示す指令信号ＣＣを受けると、アンテナ回路からの高周波信号を減衰器２４を介して高周波増幅部１０に引き渡す。したがって、無線機は、ＥＴＳＩ規格の送信信号を良好に受信することができる。この場合、減衰器１６およびスイッチ回路１８の部分は、部材２１，２２，２３，２４によって同じように構成することができる。上述の２つの例では、減衰器の減衰量の切り替えは２段としたが、それ以上の段数で切り替えるようにしてもよいことはいうまでもない。
【図面の簡単な説明】
【００１７】
【図１】本発明のフロントエンド回路の第１の実施の形態を示すブロック図である。
【図２】本発明のフロントエンド回路の第２の実施の形態を示すブロック図である。
【図３】（ａ）ないし（ｄ）は、図１および図２で使用される減衰器の例を示す回路図である。
【符号の説明】
【００１８】
１０  高周波増幅部、１１，１３  フィルタ、１２  増幅器、１５，１６，２０  減衰器、１７  混合部、１８，２１，２２  スイッチ回路、２３  接続ライン、ＣＭ，ＣＣ  指令信号、ＣＮ  指示信号。
【図１】
2005159934.tif 000003
【図２】
2005159934.tif 000004
【図３】
2005159934.tif 000005